(57)【特許請求の範囲】
【請求項１】
低沸点を有する成分を含有した天然ガスを処理するに際し：
（ａ）  天然ガスを液化圧力にて主熱交換器の生成物側に通過させ；
（ｂ）  冷却された液化冷媒を冷媒圧力で主熱交換器の低温側に導入して、冷却された冷媒を主熱交換器の低温側にて冷媒圧力で蒸発させて蒸気冷媒を冷媒圧力にて得ると共に蒸気冷媒を主熱交換器の低温側から除去し；
（ｃ）  液化ガスを液化圧力にて主熱交換器の生成物側から除去し；
（ｄ）  液化ガスを外部熱交換器の高温側に通過させて冷却液化ガスを得；
（ｅ）  冷却液化ガスを低圧力まで膨脹させて膨脹流体を得、この膨脹の少なくとも１部を動的に行い；
（ｆ）  膨脹流体を、分画カラムの上部と下部との間に配置された接触セクションが設けられた分画カラムの上部に導入し；
（ｇ）  膨脹流体の液体を下方向に接触セクションに流過させ；
（ｈ）  分画カラムから、接触セクションより流出する液体を含んだ液体リサイクル流を抜取り；
（ｉ）  液体リサイクル流を外部熱交換器の低温側に通過させて、加熱された２−相流体を得；
（ｊ）  ２−相流体の少なくとも蒸気を分画カラムにその下部と接触セクションとの間で導入すると共に、蒸気を上方向に接触セクションに流過させ；
（ｋ）  ２−相流体の液体の少なくとも１部を生成物容器に集めると共に、生成物容器から低沸点を有する成分の減少含有量を有する液体生成物流を抜取り；
（ｌ）  分画カラムの上部から低沸点を有する成分が豊富なガス流を抜取る
ことを特徴とする天然ガスの処理方法。
【請求項２】
工程（ｈ）〜（ｋ）が：
（ｈ′）  分画カラムから、接触セクションより流出する液体よりなる液体リサイクル流を抜取り；
（ｉ′）  液体リサイクル流を外部熱交換器の低温側に通過させて、加熱された２−相流体を得；
（ｊ′）  ２−相流体の蒸気を分画カラムにその下部と接触セクションとの間で導入すると共に、蒸気を上方向に接触セクションに流過させ；
（ｋ′）  ２−相流体の液体を外部熱交換器の低温側に流体連通する生成物容器に集めると共に、生成物容器から低沸点を有する成分の減少含有量を有する液体生成物流を抜取る
ことを含む請求の範囲第１項に記載の方法。
【請求項３】
工程（ｊ）が２−相流体を分画カラムに底部と接触セクションとの間で導入すると共に蒸気を上方向に接触セクションに流過させることからなり、さらに工程（ｋ）が２−相流体の液体を分画カラムの下部に集めると共に分画カラムの下部から低沸点を有する成分の減少含有量を有する液体生成物流を抜き取ることからなる請求の範囲第１項に記載の方法。
【請求項４】
工程（ｈ）が、分画カラムの下部にて接触セクションから流出する液体を集めると共に分画カラムの下部から液体リサイクル流を抜き取ることからなる請求の範囲第１項または第３項に記載の方法。
【請求項５】
工程（ｈ）〜（ｋ）が：
（ｈ″）  液体を接触セクションから分画カラムの下部におけるリサイクル容器に集めると共に、リサイクル容器から液体リサイクル流を抜取り；
（ｉ″）  液体リサイクル流を外部熱交換器の低温側に通過させて、加熱された２−相流体を得；
（ｊ″）  ２−相流体を分画カラムに下部と接触セクションとの間で導入し、蒸気を上方向に接触セクションに流過させると共に、液体の少なくとも１部を分画カラムの下部に配置された生成物容器に集め；
（ｋ″）  生成物容器から低沸点を有する成分の減少含有量を有する液体生成物流を抜取る
ことからなる請求の範囲第１項に記載の方法。
【請求項６】
冷却された冷媒を冷媒圧力にて主熱交換器に導入する工程が、主熱交換器から除去された蒸気冷媒を圧縮すると共に圧縮冷媒を冷却して部分凝縮した２−相冷媒流体を高められた圧力にて得；部分凝縮した２−相冷媒流体を第１凝縮フラクションと第１蒸気フラクションとに分離し；第１凝縮フラクションを主熱交換器の第１冷媒側で冷却して冷却第１凝縮フラクションを得；冷却第１凝縮フラクションを膨脹させて膨脹流体を冷媒圧力にて得；膨脹の少なくとも１部を動的に行い；膨脹流体を冷媒圧力にて主熱交換器の低温側で蒸発させ；第１蒸気フラクションを主熱交換器の第２冷媒側で冷却して冷却第２凝縮フラクションを得；冷却第２凝縮フラクションを冷媒圧力まで膨脹弁で膨脹させ；冷却第２凝縮フラクションを主熱交換器の低温側にて冷媒圧力で蒸発させることからなる請求の範囲第１〜５項のいずれか一項に記載の方法。
【発明の詳細な説明】
本発明は、低沸点を有する各成分を含有した天然ガスの処理方法に関するものである。低沸点を有する各成分は一般に窒素、ヘリウムおよび水素であり、これら成分は「軽質成分」とも呼ばれる。この方法においては、液化ガスを液化圧力にて変化させ、次いで液化ガスの圧力を低下させて低圧力にて低沸点を有する各成分の減少含有量を有する液化ガスを得、この液化ガスをさらに処理または貯蔵することができる。この方法の処理部分はしばしば末端フラッシュ法と呼ばれる。この種の末端フラッシュ法は２つの末端を有し、第１の末端は液化ガスの圧力を低圧まで低下させ、第２の末端は低沸点を有する各成分を含むガス流を液化ガスから分離して、残留液化ガスが低沸点を有する充分低い含有量の各成分を有するよう確保する。
天然ガスの液化圧力は一般に３．０〜６．０ＭＰａの範囲である。低圧力は液化圧力より低く、たとえば低圧力は０．３ＭＰａ未満であり、好適には低圧力は０．１０〜０．１５ＭＰａの範囲のほぼ大気圧である。
低沸点を有する成分を含有した天然ガスの処理方法は公知であり、この方法は：
（ａ）  天然ガスを液化圧力にて主熱交換器の生成物側に通過させ；
（ｂ）  冷却液化冷媒を冷媒圧力で主熱交換器の低温側に導入し、冷却冷媒を冷媒圧力にて主熱交換器の低温側で蒸発させて蒸気冷媒を冷媒圧力にて得ると共に、蒸気冷媒を主熱交換器の低温側から除去し；
（ｃ）  液化ガスを液化圧力にて主熱交換器の生成物側から除去し；
（ｄ）  冷却液化ガスを膨脹弁を介し低圧力まで膨脹させて膨脹流体を得；
（ｅ）  膨脹流体を分離容器に供給し；
（ｆ）  分離容器の底部から低沸点を有する成分の減少含有量を有する液体生成物流を抜取り；
（ｇ）  分離容器の頂部から低沸点を有する成分が豊富なガス流を抜取る
ことからなっている。
低沸点を有する成分を含有した天然ガスを処理する異なる方法が英国特許第１  ５７２  ８９９号に記載されている。この方法は：
（ａ）  天然ガスを液化圧力にて主熱交換器の生成物側に通過させ；
（ｂ）  冷却液化冷媒を冷媒圧力で主熱交換器の低温側に導入し、冷却冷媒を主熱交換器の低温側にて冷媒圧力で蒸発させて蒸気冷媒を冷媒圧力にて得ると共に、蒸気冷媒を主熱交換器の低温側から除去し；
（ｃ）  液化ガスを液化圧力にて主熱交換器の生成物側から除去し；
（ｄ）  液化ガスを分画カラムの下部に配置された熱交換器の高温側に通過させて冷却液化ガスを得；
（ｅ）  冷却液化ガスを膨脹弁を介し低圧まで膨脹させて膨脹流体を得；
（ｆ）  膨脹流体を分画カラムの頂部に噴霧し；
（ｇ）  分画カラムの底部から低沸点を有する成分の減少含有量を有する液体生成物流を抜取り；
（ｈ）  分画カラムの上部から低沸点を有する成分が豊富なガス流を抜取る
ことからなっている。
後者の方法において、液化ガスを冷却する熱交換器は分画カラムの下部により形成され、熱交換器の高温側は分画カラムの下部に配置されたチューブ束を備える。分画カラムの下部における液体は、チューブ束を通過する液化ガスを冷却する。したがって、工程（ｇ）における分画カラムの底部からの液体流の抜取りは、熱交換器のチューブ束が液体中に浸漬され続けるような速度で行わねばならないことが了解されよう。
この種の熱交換器はいわゆる内部リボイラーである。しかしながら、内部リボイラーは分画カラムとは別途に設計することができず、したがってカラム高さの単位当たり許容しうる熱交換面積は分画カラムの所要寸法により影響を受ける。熱移動面積が処理設計に影響を及ぼすので、機械的限界は処理設計に影響を及ぼすと共に最適でない処理設計をもたらしうる。
本発明の課題は、上記欠点を解消することにある。さらに本発明の課題は膨脹する液化ガスにおける大きい温度低下を得ることであり、したがってより良好な全体的液化効率を得ることであり、ここで液化効率は冷媒を圧縮するのに要する動力に対する液化される天然ガスの流量の比である。
この目的で、本発明による低沸点を有する各成分を含有した天然ガスの処理方法は：
（ａ）  天然ガスを液化圧力にて主熱交換器の生成物側に通過させ；
（ｂ）  冷却液化冷媒を冷媒圧力で主熱交換器の低温側に導入し、冷却冷媒を主熱交換器の低温側にて冷媒圧力で蒸発させて蒸気冷媒を冷媒圧力にて得ると共に、蒸気冷媒を主熱交換器の低温側から除去し；
（ｃ）  液化ガスを液化圧力にて主熱交換器の生成物側から除去し；
（ｄ）  液化ガスを外部熱交換器の高温側に通過させて冷却液化ガスを得；
（ｅ）  冷却液化ガスを低圧力まで膨脹させて、膨脹流体を得、この膨脹の少なくとも１部を動的に行い；
（ｆ）  膨脹流体を分画カラムの上部と下部との間に配置された接触セクションが設けられた分画カラムの上部に導入し；
（ｇ）  膨脹流体の液体を下方向に接触セクションに流過させ；
（ｈ）  分画カラムから、接触セクションより流出する液体を含んだ液体リサイクル流を抜取り；
（ｉ）  液体リサイクル流を外部熱交換器の低温側に通過させて加熱２−相流体を得；
（ｊ）  ２−相流体の少なくとも蒸気を分画カラムにその下部と接触セクションとの間で導入すると共に、蒸気を上方向に接触セクションに流過させ；
（ｋ）  ２−相流体の液体の少なくとも１部を生成物容器に集めると共に、生成物容器から低沸点を有する成分の減少含有量を有する液体生成物流を抜取り；
（ｌ）  分画カラムの上部から低沸点を有する成分が豊富なガス流を抜取る
ことを特徴とする。
ここで米国特許第３  ２０３  １９１号が参照される。この公報は、主熱交換器からの液化ガスの膨脹部分を膨脹エンジン内で動的に行うことを開示している。この公報によれば、結果は所定の圧力低下につき蒸発する液化ガスの量が膨脹を膨脹弁で行う場合に蒸発する量よりも少なくなる。
以下、添付図面を参照して本発明を実施例により一層詳細に説明する。
第１図は本発明による方法の配置の略図（縮尺でない）を示し；
第２図は第１図の配置の処理部分に対する代案を示し；
第３図は第２図の処理部分の代案を示し；
第４図は第１図による方法の配置の代案を示す。
次に第１図を参照して、低沸点を有する各成分を含有した天然ガスは導管１を介し主熱交換器２に供給される。天然ガスは約４モル％の窒素と２００  ｐｐｍｖ（１００万分の１容量部）のヘリウムとを含有する。天然ガスは４ＭＰａの液化圧力である。
主熱交換器２は生成物側５を備え、これは冷温側７に対し熱交換関係に位置する。第１図に示した主熱交換器２において、生成物側５はチューブ側であり、低温側７はシェル側である。
天然ガスを液化圧力にて主熱交換器２の生成物側５に通過させると共に、導管８を介し生成物側５から流出させる。主熱交換器２からの天然ガスの温度は−１５０℃である。
主熱交換器２の生成物側５を通過する天然ガスを冷却および液化するには、冷却液化冷媒を主熱交換器２の低温側７に導入する。第１図に示した配置においては、冷却された液化冷媒を２つのレベルにて入口装置１０および１１を介し導入する。冷媒を低温側７における冷媒圧力にて蒸発させると共に、蒸気冷媒を導管１３を介し主熱交換器２から除去する。冷却された液化冷媒が次のように得られる。導管１３を介して除去された蒸気冷媒を圧縮器１５にて高められた圧力まで圧縮すると共に、圧縮流体を熱交換器１７で部分凝縮させて部分凝縮２−相冷媒流体を得、これを導管１９を介して分離容器２２に供給する。分離容器２２にて冷媒流体を第１凝縮フラクションと第１蒸気フラクションとに分離する。第１凝縮フラクションを導管２４に主熱交換器２まで通過させる。主熱交換器２にて第１凝縮フラクションを第１冷媒側２７で冷却すると共に液化して、冷却第１凝縮フラクションを高められた圧力にて得る。冷却第１凝縮フラクションを導管３０における膨脹弁２９で膨脹させて膨脹流体を冷媒圧力にて得る。冷媒圧力における膨脹流体を、導管３０の端部に配置された入口装置１０を介し主熱交換器２の低温側７に導入する。第１蒸気フラクションを導管３２を介して主熱交換器２に供給する。主熱交換器２にて、第１蒸気フラクションを第２冷媒側３３にて冷却すると共に液化して冷却第２凝縮フラクションを高められた圧力にて得る。冷却第２凝縮フラクションを導管３７に配置された膨脹弁３５を介し膨脹させて膨脹流体を冷媒圧力にて得る。冷媒圧力における膨脹流体を、導管３７の端部に配置された入口装置１１を介し主熱交換器２の低温側７に導入する。第１および第２冷媒側２７および３３は低温側７に対し熱交換関係にある。
多成分液化ガスを導管８を介し主熱交換器２から抜取ると共に、下記する処理部分に供給する。
液化天然ガスを導管８を介し外部熱交換器４１に供給する。液化ガスは、熱交換器４１のチューブ側の形態における高温側４３を通過する。熱交換器４１にて、液化ガスは熱交換器４１のシェル側としての低温側４４を流過する冷却剤との間接的熱交換により冷却されて、冷却液化ガスを得、これを導管４５から除去する。冷却剤については後の段階で検討する。
熱交換器４１はケトル型であって、そのものが公知であり、ここには詳細に検討しない。
冷却液化ガスを膨脹装置４７にて膨脹させる。膨脹装置４７は膨脹エンジン４８を備えて膨脹を動的に行い、膨脹弁４９は導管５０により膨脹エンジン４８に接続される。膨脹は２段階で行われて、膨脹エンジン４８における蒸発を防止すると共に一層柔軟な操作を可能にする。膨脹後の圧力は、膨脹流体を分画カラム５１にて処理する圧力である。冷却および膨脹の結果、膨脹流体の温度は導管８を通過する液化天然ガスの温度よりも低く、窒素およびヘリウムの部分が蒸発する。
膨脹装置４７からの膨脹流体を、入口装置５４が設けられた導管５３を介し分画カラム５１の上部５５に導入し、この分画カラム５１は実質的に大気圧で操作される。分画カラム５１には、この分画カラム５１の上部５５と下部５９との間に配置された接触セクション５８を設ける。第１図に示した接触セクション５８はシーブトレー（図示せず）を備える。これらシーブトレーはそれ自体公知であって、ここには詳細に検討しない。
膨脹流体の液相を下方向に接触セクション５８に対し流過させる。接触セクション５８の下には、煙突６９が設けられた抜取トレー６８が配置される。接触セクション５８から流出する液体を抜取トレー６８を介し分画カラム５１から抜取る。この液体はリサイクル流を形成し、このリサイクル流を導管７０を介し外部熱交換器４１まで移送する。
リサイクル流を外部熱交換器４１の低温側４４に通過させ、したがってリサイクル流は液化天然ガスを冷却する冷却剤である。リサイクル流を、加熱２−相流体が得られるよう加熱する。加熱２−相流体の蒸気を外部熱交換器４１から導管７１を介して除去すると共に、分画カラム５１の下部５９中へ抜取トレー６８の下に導管７１の端部で配置された入口装置７２を介して導入する。蒸気は煙突６９を通過して上方向に接触セクション５８を流過することにより、接触セクション５８を下方向に流過する液体をストリップする。
２−相流体からの液体は堰７５を越えて外部熱交換器４１の低温側４４から生成物容器７６中へ流入する。低沸点を有する成分の減少含有量を有する液化天然ガスの生成物流を導管７８を介し生成物容器７６から抜取る。この生成物流を貯蔵部（図示せず）まで或いはさらに処理（図示せず）まで移送することができる。
分画カラム５１の上部５５から、導管７９を介し低沸点を有する成分が豊富なガス流を抜取る。このガス流は燃料ガスとして使用することができる。さらに、ガス流はヘリウム回収装置（図示せず）のための供給物としても使用することができる。
本発明の方法は天然ガスを液化圧力にて液化すると共に天然ガスを処理して、低沸点を有する各成分が除去された液化天然ガスを低圧力にて得るための効率的方法を与える。分画カラムおよび熱交換器は独立して最適化することができる。さらに、膨脹エンジンを介する膨脹は、膨脹弁のみで膨脹させる際に得られるよりも大きい温度低下をもたらす。さらに膨脹装置への供給物を冷却して、全体的方法の一層良好な全体的効率をもたらす。
上記方法の改良は、ケトル型熱交換器を向流型熱交換器により代替して得ることができる。ケトル型熱交換器においては低温側４４における液体は実質的に同じ温度となって、低温側４４から流出する液体および蒸気の温度が低温側４４に流入するリサイクル流の温度と実質的に等しくなる。高温側４３から流出する液体４３oの温度は高温側４３に流入する液体４３iの温度より低いが、液体４３oの出口温度は低温側４４から生成物容器７６中へ流入する液体の温度より低くすることができない。しかしながら、向流熱交換器は、高温側から流出する液体の温度が低温側から流出する液体の温度より低くなるよう操作することができる。したがって、向流熱交換器の使用は全体的効率をさらに向上させる。
膨脹弁２９および３５における冷媒流の膨脹の代わりに、冷媒流の膨脹を膨脹エンジン（図示せず）により動的に行うこともできる。
次に本発明の処理部分の実施例を示す第２図を参照して、ここでは向流熱交換器を用いる。第１図に示した装置と同様である第２図に示した装置は同じ参照符号を有し、明瞭にするため向流熱交換器を参照符号４１′によって示す。
第１図を参照して上記したように、主たる極低温熱交換器（図示せず）から抜取られた液化天然ガスとしての多成分液化ガスを導管８に外部向流熱交換器４１′まで通過させる。液化ガスは熱交換器４１′のシェル側の形態の高温側４３を通過する。熱交換器４１′にて液化ガスは熱交換器４１′のチューブ側の形態における低温側４４を流過する冷却剤での間接的熱交換により冷却されて冷却液化ガスを得、これを導管４５を介して除去する。冷却剤については後記の段階で検討する。
冷却液化ガスを、膨脹を動的に行うと共に膨脹弁４９を導管５０により膨脹エンジン４８に接続した膨脹エンジン４８を備えた膨脹装置４７にて膨脹させる。膨脹後の圧力は、膨脹流体を分画カラム５１にて処理する圧力である。冷却および膨脹の結果、膨脹流体の温度は導管８を通過する液化天然ガスの温度よりも低くなり、窒素およびヘリウムの部分が蒸発する。
膨脹装置４７からの膨脹流体を入口装置５４が設けられた導管５３を介し、大気圧にて操作する分画カラム５１の上部５５に導入する。分画カラム５１には、この分画カラム５１の上部５５と底部５９との間に配置された接触セクション５８を設ける。接触セクション５８はシーブトレー（図示せず）を備える。
膨脹流体の液相を下方向に接触セクション５８に流過させる。液体を分画カラム５１の下部５９に集め、リサイクル流を導管７０を介して分画カラム５１から抜取る。リサイクル流を外部熱交換器４１に移送する。
リサイクル流を外部熱交換器４１′の低温側４４に通過させ、かくしてリサイクル流は液化天然ガスを冷却する冷却剤である。リサイクル流を、加熱２−相流体が得られるよう加熱する。加熱２−相流体を導管７１を介して熱交換器４１′から除去すると共に、これを接触セクション５８の下に配置された入口装置７２を介し分画カラム５１の下部５９に導入する。蒸気を上方向に接触セクション５８に流過させると共に、液体を分画カラム５１の下部５９に集める。低沸点を含有する成分の減少含有量を有する液化天然ガスの生成物流を、導管７８を介し分画カラム５１の下部５９から抜取る。生成物流は貯蔵部（図示せず）またはさらに処理（図示せず）まで移送することができる。分画カラムの下部は、加熱２−相流体からの液体および接触セクション５８からの液体のための容器として作用する。
分画カラム５１の上部５５から導管７９を介し、低沸点を有する成分が豊富なガス流を抜取る。このガス流は燃料ガスとして使用することができる。さらに、ガス流はヘリウム回収装置（図示せず）の供給物としても使用することができる。
この実施例の利点は、高温側４３から流出する液体４３oの温度が低温側４４から流出する液体４４oの温度より低くなるよう向流熱交換器４１′を操作しうる点である。しかしながらリサイクル流および生成物流は、これらが分画カラム５１の下部５９から除去されるため同じ組成を有する。
これら流れの分離は、分画カラム５１の下部５９に内部を配置して達成することができる。この改良された実施例を第３図に示す。第２図に示した装置と同様である第３図に示した装置は同じ参照符号を有し、明瞭にするため第３図の方法と第２図との方法との間の差のみを説明する。
分画カラム５１の下部５９には内部を配置して、接触セクション５８からの液体を入口装置７２を介し供給された２−相流体の液体から分離する。内部はリサイクル容器６１を生成物容器６２から分離する隔壁６０と、下側案内邪魔板６３と、煙突６５を設けた上側案内邪魔板６４とを備える。
正常操作に際し、接触セクション５８からの液体は上側案内邪魔板６４により案内されてリサイクル容器６１に集められる。そこから、リサイクル流は導管７０を熱交換器４１′の低温側４４まで移動する。
リサイクル流を加熱し、加熱２−相流体を得る。加熱２−相流体を導管７１を介して熱交換器４１′から除去すると共に、これを下側および上側の案内邪魔板６３と６４との間に配置された入口装置７２を介し分画カラム５１の下部５９に導入する。蒸気は煙突６５および接触セクション５８を上方向に流過し、この液体を分画カラム５１の下部５９にて生成物容器６２に集める。低沸点を有する成分を減少含有量を有する液化天然ガスの生成物流を導管７８を介し生成物容器６２から抜取る。生成物流は貯蔵部まで或いはさらに処理するまで移送することができる。
入口装置７２を介し供給された２−相流体の液体から接触セクション５８の液体を分離することに伴い２つの利点が存在する。第１に、リサイクル流における低沸点を持った各成分の濃度は接触セクション５８からの液体におけるこれら成分の濃度に実質的に等しくなり、この濃度は第２図を参照して説明した方法の下部５９で集められた液体の混合物におけるこれら成分の濃度より大となる。第２に、接触セクション５８からの液体の温度は生成物容器６２における加熱２−相流体からの液体の温度より低くなり、したがってリサイクルの温度は接触セクション５８からの液体を第２図の実施例の場合と同様に２−相流体からの液体と混合すればリサイクル流の温度より低くなる。
好適には、第１〜３図を参照して説明した処理部分を特定の液化過程と組合せて用いる。本発明のこの実施例を第４図を参照して一層詳細に説明する。
次に第４図を参照して、冷却冷媒を冷媒圧力にて主熱交換器に導入する工程は第１図を参照して説明した工程とは相違する。
低沸点を有する成分を含有した天然ガスを導管８１を介し主熱交換器８２に供給する。天然ガスは約４モル％の窒素と２００ｐｐｍｖ（１００万分の１容量部）のヘリウムとを含有する。天然ガスは４ＭＰａの液化圧力にある。
主熱交換器８２は、低温側８７に対し熱交換関係にある生成物側８５を備える。
天然ガスを液化圧力にて主熱交換器８１の生成物側８５に通過させると共に、導管８８を介し生成物側８５から流出させる。主熱交換器８２からの天然ガスの温度は−１５０℃である。
主熱交換器８２に生成物側８５を通過する天然ガスを冷却すると共に液化するには、冷却された液化冷媒を主熱交換器８２の低温側８７に導入する。冷却液化冷媒を２つのレベルにて入口装置９０および９１を介し導入する。冷媒を低温側８７にて冷媒圧力で蒸発させると共に、蒸機冷媒を導管９３を介し主熱交換器８２から除去する。冷却液化冷媒は次のように得られる。
主熱交換器８２から除去された蒸気冷媒を圧縮器９５で圧縮すると共に熱交換器９７で冷却して部分凝縮された２−相冷媒流体を高められた圧力にて得る。部分凝縮された２−相冷媒流体を分離容器１０２にて第１凝縮フラクションと第１蒸気フラクションとに分離する。
第１凝縮フラクションを導管１０４を介し主熱交換器８２に配置された第１冷媒側１０７に供給して、冷却第１凝縮フラクションを得る。冷却された第１凝縮フラクションを導管１０９に配置された膨脹装置１０８で膨脹させて膨脹流体を冷媒圧力にて得ると共に、膨脹流体を導管１０９の端部に配置された入口装置９０を介し主熱交換器８２の低温側８７に導入し、ここで蒸発させる。
膨脹装置１０８は膨脹エンジン１１０と膨脹弁１１１とを備え、膨脹の少なくとも１部を動的に行う。
第１蒸気フラクションを導管１１２を介し主熱交換器に配置された第２冷媒側１１３まで供給して、冷却第２凝縮フラクションを得る。冷却第２凝縮フラクションを冷媒圧力まで、導管１１７に配置された膨脹弁１１５にて膨脹させる。冷却第２凝縮フラクションを主熱交換器８２の低温側８７にて冷媒圧力で蒸発させる。
導管８８を介し主熱交換器８２から抜取られた液化ガスは、第１〜３図を参照して説明した処理部分にて処理される。明瞭にするため、処理部分の各部材については第４図に示さず、処理部分を参照符号１２０で示す。処理部分１２０から導管１２１を介し、低沸点を有する成分の減少含有量を有する液化天然ガスの生成物流を除去する。この生成物流を貯蔵部（図示せず）またはさらに処理（図示せず）まで移送することができる。さらに処理部分１２０からは導管１２２を介し、低沸点を有する成分が豊富なガス流をも除去する。このガス流は燃料ガスとして使用することができる。
好適には、ガス流は第１凝縮フラクションの部分を冷却すべく使用され、この目的には第１凝縮フラクションの部分を導管１２３を介し熱交換器１２５まで供給し、ここで第１凝縮フラクションをガス流との熱交換により冷却する。熱交換器から冷却第１凝縮フラクションを導管１２８を介し導管１１７まで供給すると共に、膨脹弁１１５の下流で導管１１７に導入する。
上記方法の利点は、冷媒流に１個しか膨脹エンジンを必要としない点である。一般に、窒素を含有する天然ガスを液化するには、主熱交換器８２の低温側の頂部における温度をできるだけ低くすべきであり、したがって第２凝縮フラクションが膨脹エンジンにて膨脹すると予想される。しかしながら、本発明の処理部分で得られる温度低下は、低温側の頂部における温度をそれほど低くする必要がなく、したがって膨脹エンジンを省略しうると共に低温第１凝縮フラクションにおける膨脹エンジンにて充分である。
上記実施例において、接触セクションはシーブトレーを内蔵したが、シーブトレーの代わりにパッキングまたは他の任意適する気体／液体接触手段を使用することもできる。分画カラムにおける圧力は大気圧とする必要がなく、圧力が液化圧力より低ければ一層高くすることができる。
膨脹装置４７および１０８において膨脹は２段階で行われて、膨脹エンジン４８および１１０における蒸発を防止すると共に一層柔軟な操作を可能にする。さらに膨脹は膨脹エンジンだけで行うこともでき、全ての膨脹が動的に行われる。
使用する膨脹エンジンは任意適する膨脹エンジン、たとえば液体膨脹装置またはいわゆるペルトン−ホイールとすることができる。
主熱交換器２（第１図）および８２（第４図）はいわゆるスプール巻付型熱交換器であるが、他の任意適する種類、たとえばプレート・フィン型熱交換器も使用することができる。
第１図に示した配置において、冷却液化冷媒は２つのレベルで主熱交換器２に導入されるが、１つのレベルにて分離なしに或いは３つのレベルで一層複雑な分離を伴って導入することもできる。
熱交換器１７（第１図）および９７（第４図）は数個の熱交換器を直列で構成することもでき、同じことが圧縮器１５（第１図）および９５（第４図）についても言える。
【図１】
0003919816.tif 000002
【図２】
0003919816.tif 000003
【図３】
0003919816.tif 000004
【図４】
0003919816.tif 000005